(57)【要約】      （修正有）【課題】同室内複数台テレビ間のリモコン操作による誤作動を防止する手段を提供する。【解決手段】テレビ受信機用リモコン信号防御部材は、電波非通過材質にて、鍔部２を有する上下部開放中空部材による所定長の主体１を設け、該主体下面に粘着層３を形成し、主体を円筒あるいは多角形にて形成してなる。【選択図】図３
2020036300.tif 000002
【特許請求の範囲】
【請求項１】
電波非通過材質にて上下部開放中空部材による所定長の主体を設けたことを特徴とするテレビ受像機用リモコン信号防御部材。
【請求項２】
主体下面に粘着層を形成したことを特徴とする請求項１記載のテレビ受像機用リモコン信号防御部材。
【請求項３】
主体を円筒にて形成してなる請求項１または２記載のテレビ受像機用リモコン信号防御部材。
【請求項４】
主体を多角形にて形成してなる請求項１または２記載のテレビ受像機用リモコン信号防御部材。
【発明の詳細な説明】
【技術分野】
【０００１】  この発明は、一室に複数台のテレビが存在する場合において、他者のリモコン操作による自己のテレビの誤作動を防止するための部材に関する。
【背景技術】
【０００２】  従来より、種々のテレビが多用され、リモコン操作にて視聴しているが、他者のリモコン操作による自己のテレビの誤作動を防止する手段は見当たらない。
【発明の概要】
【発明が解決しようとする課題】
【０００３】  現在利用されているテレビは、そのほとんどがリモコン操作方式を用いている。
以前には、手動によるダイヤル操作が主流であったが、テレビチャンネルを切り換えるには、その都度テレビに設けられているダイヤルを手動にて操作するために、立ち上がってテレビに接近する必要があり、その煩わしさを解消するために、現在ではリモコンによる遠隔操作方式となっている。
リモコンには種々の方式があるが、一般的には赤外線放射方式のものが多用されている。
このリモコンは、内部に電池と発光ダイオードその他を有し、リモコンケース外面に突出配置されている操作ボタンにてテレビ操作を行うものである。
この選択したボタンを押すことにて、発光ダイオードから赤外線が放射され、テレビ側の受光器にてこの赤外線信号を感知し、テレビに指令を発するもので、電源のＯＮ・ＯＦＦ、チャンネルの変更、音量調整その他の操作が可能である。【０００４】  赤外線は電磁波の一種で、この電磁波は波長の長さによりその指向性が変化する。
リモコン使用時は、リモコンの先をテレビに向けてボタンを押すことにて、リモコンの先から出た赤外線を利用するが、一室に一台しかテレビがないときは問題がないが、複数台の同種テレビがある場合、例えば病室などではテレビの誤動作の問題が発生する。
病室のテレビは同一機種を備えており、使用するリモコンも同一機種である。
そのために、他人の操作したリモコンにて自己のテレビが誤作動を起こす場合がある。
赤外線方式のリモコンは、水平方向において少なくとも４５度以上の放射角度があるために、このような問題が発生するのである。
本発明は、以上に鑑み、テレビ前面に備えられている受光箇所に装着することにて、既述の問題を防止することのできる、新規かつ有用なる手段を提供することを目的として発明されたものである。
【課題を解決するための手段】
【０００５】  課題を解決する手段として本発明は以下の構成とした。
すなわち、電波非通過材質にて上下部開放中空部材による所定長の主体を設け、該主体下面に粘着層を形成する。本発明は以上の構成よりなるテレビ受像機用リモコン信号防御部材である。
【発明の効果】
【０００６】  本発明によれば、テレビ受光箇所に電波非通過機能を有する部材による筒状の部材を装着するものであるために、自己のテレビから離れた場所にて操作した他者テレビのリモコンからの放射信号を、自己のテレビにて受信することを防止し、自己テレビの誤操作を防止することができる。本発明は病室など、一室に複数台の同一機種テレビが存在する場合において、テレビ利用者相互におけるテレビ誤動作を防止することができる。
なお、本方式はリモコンを用いる他の電機製品にも応用が可能である。
【図面の簡単な説明】
【０００７】
【図１】本発明の平面図
【図２】本発明の正面図
【図３】Ａ−Ａ断面図
【図４】本発明の機能説明図
【図５】本発明の他例説明図（平面視）
【図６】テレビリモコンの作用説明図
【発明を実施するための形態】
【０００８】  以下、本発明の実施形態について説明する。
図において、１は電波非通過機能を有しているアルミ合金による上下部開放円筒状の主体であり、その下部には外方に円盤状に張り出した鍔部２が一体に形成される。
３は該鍔部底面に形成される粘着層、４は該粘着層を覆う剥離紙である。
以上が本発明の一実施形態である。
本発明の使用に際しては、まず剥離紙を除去し、テレビの受光箇所が本品の中央となるように、テレビに本品を粘着させる。この状態において、リモコンをテレビにほぼ正対させて操作したときは、通常通りのテレビ操作を行うことができる。
しかし非正対状態、例えば他者のリモコンからの信号が本テレビに対し、おおむね４５度以上の角度にてこのテレビに向けて放射されたときには、図４にて示すように、この信号は主体側面に反射される。また、信号の一部が主体空隙内に入ったとしても、反射角度の関係でテレビ受光部には届かず、テレビの誤作動を防止することができる。
【０００９】  以上、本発明について記したが、本発明は簡単な仕組みにて、テレビ間の誤作動を防御するものである。従来はこのような手段がなく、各テレビの使用者は自己のテレビに正対した位置でのリモコン操作にてこの誤作動を防止するしかなかった。また、リモコン使用可能距離は１０メートルほどもあり、その赤外線の反射波も問題となっていたのである。
そのため、現在では仮の手段として、テレビ受光箇所に半透明のテープを仮止めするなどしているが、これとても十分な手段ではなかったのである。
それゆえに、リモコン使用角度によっては、多分に誤作動の可能性を有し、問題となっていたのであるが、本発明にてこれが解消されるものとなったのである。
なお、既例においては、主体にアルミ合金を用いている。一般に金属類は電磁波を反射する性質を有し、また非通過である。アルミ合金は軽量にて扱いやすく、また構造単純で製造コスト的にも安価になると思われる。
なお、本例で用いたアルミ合金以外の他の金属でも同様機能を発揮することができる。
あるいは、合成樹脂にて主体を形成し、その外面に金属皮膜を設けてもよい。
また、他法としては、上記手段と併用して主体内面に電磁波吸収素材を設けたり、電磁波吸収塗料を塗布することにて、主体内面に入射した赤外線の減衰効果にて、さらなる性能向上を見込むことができる。既例では、主体を円筒形としたが、図５に示すように四角中空体としてもよく、さらには別の多角形状その他を用いてもよい。既例においては鍔部を設けて、装着安定を図っているが、鍔部なしでも同様機能を発揮することができる。また、鍔部を主体と別体にて作成して主体と固着させ、この鍔部を柔軟性素材にて形成することにより、テレビ曲面箇所にも安定して装着することができる。既例においては、鍔部に粘着層を設けたが、別法として、粘着層を設けずに、使用者が両面テープ使用にて対処することもできる。
以上のごとく、本発明によって各テレビ間の誤作動防止に役立つ有用なる手段を得ることができる。
【符号の説明】
【００１０】  １  主体
２  鍔部
３  粘着層
４  剥離紙
５  主体
６  テレビ受像機
７  リモコン
８  放射赤外線
【図１】
2020036300.tif 000003
【図２】
2020036300.tif 000004
【図３】
2020036300.tif 000005
【図４】
2020036300.tif 000006
【図５】
2020036300.tif 000007
【図６】
2020036300.tif 000008